(57)【要約】【課題】  厚さ寸法が相違する二種類のテープカートリッジに対応可能であるカートリッジホルダ装置を実現することを目的とする。【解決手段】  カートリッジ支持部材５１と、カートリッジ上面押え板部材６０と、カートリッジ上面押え板部材支持機構７０と、第１のロック機構８１と、第２のロック機構９０とを有する。現行テープカートリッジ１０は、第２のロック機構９０によってロックされているカートリッジ上面押え板部材６０によって上面１０ａを押さえられて収容される。現行テープカートリッジ１０よりも厚い新型テープカートリッジ２０が挿入されると、第１、第２のロック機構８０、９０のロックが共に解除され、カートリッジ上面押え板部材６０が上方に変位し、新型テープカートリッジ２０は上方に変位したカートリッジ上面押え板部材６０によって上面２０ａを押さえられて収容される。【選択図】  図１
2006351100.tif 000002
【特許請求の範囲】
【請求項１】
外形寸法の相違する複数種類のカートリッジが選択的に挿入されるカートリッジホルダ装置であって、
挿入されたカートリッジを押さえる押え板部材を移動可能に設け、カートリッジホルダ内のカートリッジを収容するためのカートリッジ収容空間の大きさが変化する構成であり、
該カートリッジ収容空間が、挿入されるカートリッジに対応する大きさに変化するように構成したことを特徴とするカートリッジホルダ装置。
【請求項２】
第１のカートリッジと、該第１のカートリッジよりも厚い第２のカートリッジとが選択的に挿入されるカートリッジホルダであって、
横板部とこの両側の側板部とを有し、挿入されるカートリッジの底面と両側の側面を支持するカートリッジ支持部材と、
通常は第１のカートリッジの上面を押さえる第１の高さ位置にあり、挿入されるカートリッジの上面を押さえるカートリッジ上面押え板部材と、
該カートリッジ上面押え板部材を、前記カートリッジ支持部材に対して、高さ位置が変化する方向に移動可能に支持するカートリッジ上面押え板部材支持機構と、
該カートリッジ上面押え板部材を、第１の高さ位置にロックしているロック機構とを有し、
前記カートリッジ支持部材と前記カートリッジ上面押え板部材とが、その間に、カートリッジが収容されるカートリッジ収容空間を形成する構成であり、
該ロック機構は、前記第１のカートリッジが挿入された場合にはロックが解除されないで、前記第２のカートリッジが挿入された場合にだけロックが解除される構成であり、
前記第２のカートリッジが挿入された場合に、前記カートリッジ上面押え板部材の位置が高い方向に変化して、前記カートリッジ収容空間が前記第２のカートリッジに対応する大きさに変化するように構成したことを特徴とするカートリッジホルダ装置。
【請求項３】
請求項２に記載のカートリッジホルダ装置において、
前記ロック機構は、第１のロック機構と、第２のロック機構とよりなり、
前記第１のロック機構は、前記第１のカートリッジが挿入された場合及び前記第２のカートリッジが挿入された場合にロックが解除される構成であり、
前記第２のロック機構は、前記第２のカートリッジが挿入された場合にロックが解除される構成としたことを特徴とするカートリッジホルダ装置。
【請求項４】
請求項２に記載のカートリッジホルダ装置において、
前記カートリッジ上面押え板部材支持機構は、前記カートリッジ上面押え板部材のうちカートリッジが挿入される方向上、離れた二つの個所を吊る第１、第２の吊り部材よりなり、
前記第２のカートリッジが挿入された場合に、前記第１、第２の吊り部材が回動することによって、前記カートリッジ上面押え板部材がスイングして移動して、前記カートリッジ収容空間が前記第２のカートリッジに対応する大きさに変化する構成としたことを特徴とするカートリッジホルダ装置。
【請求項５】
請求項２に記載のカートリッジホルダ装置において、
前記カートリッジ上面押え板部材は、長方形状であり、四つのコーナを有し、
前記カートリッジ上面押え板部材支持機構は、前記カートリッジ上面押え板部材の四つのコーナを吊る四つの腕部を有し、前記カートリッジ上面押え板部材の長手方向の両端の腕部同士が同期して回動する構成であり、
前記カートリッジ上面押え板部材の長手方向の両端の腕部同士が同期して回動することによって、前記カートリッジ上面押え板部材がスイングして移動する構成としたことを特徴とするカートリッジホルダ装置。
【請求項６】
請求項２に記載のカートリッジホルダ装置において、
前記カートリッジ上面押え板部材支持機構は、前記カートリッジ上面押え板部材のうち前記カートリッジが挿入される挿入口に近い側を、前記カートリッジ支持部材の側板部に回動可能に支持する軸支部であり、
前記第２のカートリッジが挿入された場合に、前記カートリッジ上面押え板部材が前記軸支部を中心に回動して前記カートリッジ収容空間が前記第２のカートリッジに対応する大きさに変化する構成としたことを特徴とするカートリッジホルダ装置。
【請求項７】
請求項２に記載のカートリッジホルダ装置において、
前記カートリッジ上面押え板部材支持機構は、前記カートリッジ支持部材の側板部に形成してある斜めの溝と、前記カートリッジ支持部材のロッドとよりなり、前記ロッドの端が前記斜めの溝にこの溝に沿って移動可能に嵌合してある構成であり、
前記第２のカートリッジが挿入された場合に、前記カートリッジ上面押え板部材が前記斜めの溝に沿って移動して前記カートリッジ収容空間が前記第２のカートリッジに対応する大きさに変化する構成としたことを特徴とするカートリッジホルダ装置。
【請求項８】
請求項１乃至請求項７のうち何れか一項記載のカートリッジホルダ装置を備えた磁気記録再生装置。
【発明の詳細な説明】
【技術分野】
【０００１】
本発明はカートリッジホルダに係り、特に磁気記録再生装置用のカートリッジホルダに関する。
【０００２】
コンピュータの外部記憶装置として用いられるストリーマ装置の一つに、ＶＴＲと同じく回転ドラム及びテープローディング機構を備えてなり、テープカートリッジを利用した構成である磁気記録再生装置の一種であるストリーマ装置が商品化されている。
【０００３】
現在、ストリーマ装置の記憶容量は、圧縮モードで、例えば７２Ｇｂｙｔｅと多い。しかし、市場には、記憶容量を増大の要求があり、これに対応するべく、各メーカはストリーマ装置の改良を進めている。
【０００４】
記憶容量を増大する一つの方法として、現行のテープカートリッジの磁気テープのテープ幅よりも広いテープ幅の磁気テープが収容された新しいテープカートリッジを使用できるようにする方法がある。
【０００５】
テープカートリッジを利用する磁気記録再生装置には、挿入されたテープカートリッジを保持するテープカートリッジホルダを移動させて、テープカートリッジを自動的に装着するテープカートリッジ自動装着装置が設けてある。
【０００６】
上記の新しいテープカートリッジを使用できるようにするためには、テープカートリッジホルダを、現行のテープカートリッジと新しいテープカートリッジとが選択的に挿入されて、現行のテープカートリッジは勿論、新しいテープカートリッジも正常に保持できる構成とする必要がある。
【背景技術】
【０００７】
従来のテープカートリッジ自動装着装置のテープカートリッジホルダは、同じ外形寸法のテープカートリッジだけが挿入される構成である。
【発明の開示】
【発明が解決しようとする課題】
【０００８】
新しいテープカートリッジも使用できるようにするためには、現行のテープカートリッジと新しいテープカートリッジとが選択的に挿入されて保持できるようにしたテープカートリッジホルダを実現する必要がある。
【０００９】
そこで、本発明は、上記課題を解決したテープカートリッジホルダを提供することを目的とする。
【課題を解決するための手段】
【００１０】
そこで、上記課題を解決するため、本発明は、第１のカートリッジ（１０）と、該第１のカートリッジよりも厚い第２のカートリッジ（１０）とが選択的に挿入されるカートリッジホルダであって、
横板部（５２）とこの両側の側板部（５３，５４）とを有し、挿入されるカートリッジの底面と両側の側面を支持するカートリッジ支持部材（５１）と、
通常は第１のカートリッジの上面を押さえる第１の高さ位置（Ｈ１）にあり、挿入されるカートリッジの上面を押さえるカートリッジ上面押え板部材（６０）と、
該カートリッジ上面押え板部材を、前記カートリッジ支持部材に対して、高さ位置が変化する方向に移動可能に支持するカートリッジ上面押え板部材支持機構（７０）と、
該カートリッジ上面押え板部材を、第１の高さ位置にロックしているロック機構（９０）とを有し、
前記カートリッジ支持部材と前記カートリッジ上面押え板部材とが、その間に、カートリッジが収容されるカートリッジ収容空間（１００、１１０）を形成する構成であり、
該ロック機構は、前記第１のカートリッジが挿入された場合にはロックが解除されないで、前記第２のカートリッジが挿入された場合にだけロックが解除される構成であり、
前記第２のカートリッジが挿入された場合に、前記カートリッジ上面押え板部材の位置が高い方向に変化して、前記カートリッジ収容空間が前記第２のカートリッジに対応する大きさに変化するよう構成したことを特徴とする。
【発明の効果】
【００１１】
本発明によれば、第１のカートリッジと、該第１のカートリッジよりも厚い第２のカートリッジとを選択的に挿入することが出来る。
【発明を実施するための最良の形態】
【００１２】
次に本発明の実施の形態について説明する。
【実施例１】
【００１３】
［ストリーマ装置３０、現行テープカートリッジ１０、新型テープカートリッジ２０］
先ず、本発明の実施例１のテープカートリッジホルダが適用されるストリーマ装置３０及び現行テープカートリッジ１０及び新型テープカートリッジ２０について、図２２を参照して概略的に説明する。Ｘ１−Ｘ２は幅方向、Ｙ１−Ｙ２は奥行き方向、Ｚ１−Ｚ２は高さ方向である。
【００１４】
ストリーマ装置３０は、回転ドラム装置３１と、装着されたテープカートリッジから磁気テープを引き出して所定のパスにローディングする磁気テープローディング機構３４と、リール軸３２，３３と、第１のカートリッジである現行テープカートリッジ１０の他に第２のカートリッジである新型テープカートリッジ２０も保持可能であるテープカートリッジホルダ５０等を備えた構成である。
【００１５】
現行テープカートリッジ１０は、縦Ａ×横Ｂ×高さＣの外形寸法を有する。現行テープカートリッジ１０は、箱体１１と前側の蓋１２と底面のスライド板（図示せず）とよりなるカートリッジ本体１３の内部に、幅Ｗ１が４ｍｍの磁気テープ１４が、供給リール１５と巻取リール１６とに巻かれて、且つ、蓋１２の裏面に沿うテープパス１７を形成して収容してあり、底面のうち前面寄りの部分に装着時に開かれるポール収容空間１８を有する構成である。
【００１６】
新型テープカートリッジ２０は、縦Ａ×横Ｂ×高さＣ１の外形寸法を有する。新型テープカートリッジ２０は、箱体２１と前側の蓋２２と底面のスライド板（図示せず）とよりなるカートリッジ本体２３との内部に、幅Ｗ２が８ｍｍの磁気テープ２４が、供給リール２５と巻取リール２６とに巻かれて、且つ、蓋２２の裏面に沿うテープパス２７を形成して収容してあり、底面のうち前面寄りの部分に装着時に開かれるポール収容空間２８を有する。新型テープカートリッジ２０のサイズは、縦Ａと横Ｂは、現行テープカートリッジ１０と同じであり、高さＣ１が現行テープカートリッジ１０の高さＣの約１．５倍である。
【００１７】
［テープカートリッジホルダ装置５０］
図１（Ａ）は本発明の実施例１のテープカートリッジホルダ装置５０のスケルトン図である。図１（Ｂ）は現行テープカートリッジ１０が挿入された状態を示し、図１（Ｃ）は新型テープカートリッジ２０が挿入された状態を示す。
【００１８】
図２はテープカートリッジホルダ装置５０の初期状態の斜視図、図３は図２中、第１、第２ロック部材８２、９１を分解して示す斜視図である。図４はテープカートリッジホルダ装置５０の初期状態の正面図、図５は図４中、第１、第２ロック部材８２，９１を分解して示す図である。図６はテープカートリッジホルダ装置５０の初期状態の側面図である。図７はテープカートリッジホルダ装置５０の初期状態の平面図である。
【００１９】
テープカートリッジホルダ装置５０は、Ｘ１側の機構とＸ２側の機構とが同じであり、以下は、主にＸ１側の機構について説明する。
【００２０】
各図に示すように、テープカートリッジホルダ装置５０は、カートリッジ支持部材５１と、カートリッジ上面押え板部材６０と、カートリッジ上面押え板部材支持機構７０と、
二重ロック機構８０とを有する。二重ロック機構８０は、第１のロック機構８１と、第２のロック機構９０とを有する。
【００２１】
カートリッジ支持部材５１は、Ｙ２側から見てＵ字形状であり、横板部５２と、この両側の側板部５３、５４とを有する。横板部５２はＹ２側に張り出した張り出し部５２ａを有する。
【００２２】
カートリッジ上面押え板部材支持機構７０は、両端を側板部５３、５４に回動可能に支持されて側板部５３、５４の間に平行に横架してある第１、第２の吊り部材７１、７２を有する。７３は第１の吊り部材７１の軸支部、７４は第２の吊り部材７２の軸支部である。第１の吊り部材７１はＹ２側から見て逆Ｕ字形状であり、Ｘ１及びＸ２側にＺ２方向に延びている腕部７１ａ、腕部７１ｂを有する。第２の吊り部材７２は、第１の吊り部材７１と同じく、Ｙ２側から見て逆Ｕ字形状であり、Ｘ１及びＸ２側にＺ２方向に延びている腕部７２ａ、腕部７２ｂを有する。Ｚ１側からみて、腕部７１ａ、７１ｂ、７２ａ、７２ｂは、長方形の各コーナ部に対応する位置に配置してある。
【００２３】
カートリッジ上面押え板部材６０は、長方形状であり、各コーナ付近を腕部７１ａ、７１ｂ、７２ａ、７２ｂの端に回動可能に連結されて支持されている。
【００２４】
よって、カートリッジ上面押え板部材６０は、第１、第２の吊り部材７１、７２が振り子のような回動をすることによって、図１（Ａ）に示す初期高さＨ１と、図１（Ｂ）に示す移動後の高さＨ２との間でスイングして移動する。初期高さＨ１は、現行テープカートリッジ１０に対応する高さであり、移動後の高さＨ２は、新型テープカートリッジ２０に対応する高さである。
【００２５】
初期状態では、図４に示すように、カートリッジ支持部材５１とカートリッジ上面押え板部材６０とによって、現行テープカートリッジ１０に対応する現行テープカートリッジ収容空間１００が画成される。現行テープカートリッジ収容空間１００はＹ１側に長方形の入口部１０１を有する。入口部１０１は四つのコーナ、即ち、（Ｘ１，Ｚ２）側のコーナ１０２、（Ｘ１，Ｚ１）側のコーナ１０３、（Ｘ２，Ｚ２）側のコーナ１０４、（Ｘ２，Ｚ１）側のコーナ１０５を有する。
【００２６】
図７に示すように、カートリッジ上面押え板部材６０が移動後の高さＨ２に移動した場合には、現行テープカートリッジ収容空間１００がＺ１方向に拡大されて、新型テープカートリッジ２０に対応する新型テープカートリッジ収容空間１１０が画成される。
【００２７】
図３に示すように、カートリッジ上面押え板部材６０は、そのＸ１端にロックピン６１を有する。ロックピン６１は、側板部５３の長溝５３ａを通って側板部５３のＸ１側に突き出ている。側板部５３に取り付けてあるトーションコイルばね部材７５の一つの腕部によって、ロックピン６１はＹ２方向に付勢されている。
【００２８】
同じく図３に示すように、第１のロック機構８１は、第１のロックレバー８２を有する。第１のロックレバー８２は、一端にフック部８３、他端にカートリッジ検知ピン８４を有する。第１のロックレバー８２は、略中央の孔部８５を側板部５３上の軸８６に嵌合してあり、ばね部材８７により時計方向に付勢されており、フック部８３がＺ１側からロックピン６１を係止している。カートリッジ検知ピン８４は、図４に示すように、現行テープカートリッジ収容空間１００のＹ１側の入口部１０１の（Ｘ１，Ｚ２）側のコーナ１０２に位置しており、Ｘ２方向に延びている。
【００２９】
同じく図３に示すように、第２のロック機構９０は、第２のロックレバー９１を有する。第２のロックレバー９１は、一端にフック部９２、他端にカートリッジ検知ピン９３を有する。第２のロックレバー９１は、略中央の孔部９４を側板部５３上の軸９５に嵌合してあり、ばね部材８６により反時計方向に付勢されており、フック部９２がＺ２側からロックピン６１を係止している。カートリッジ検知ピン９３は、図４に示すように、現行テープカートリッジ収容空間１００の入口部１０１の（Ｘ１，Ｚ１）側のコーナ１０３に位置しており、Ｘ２方向に延びている。
【００３０】
図４に示すように、テープカートリッジホルダ装置５０のＸ２側にも第１のロック機構８１Ａと第２のロック機構９０Ａが設けてあり、現行テープカートリッジ収容空間１００の入口部１０１の（Ｘ２，Ｚ２）側のコーナ１０４にカートリッジ検知ピン８４Ａが、（Ｘ２，Ｚ１）側のコーナ１０５にカートリッジ検知ピン９３Ａが夫々配置してある。
【００３１】
初期状態では、カートリッジ上面押え板部材６０は、Ｘ１側を二重に及びＸ２側を二重にロックされている。
【００３２】
［現行テープカートリッジ１０の挿入］
操作者は、現行テープカートリッジ１０の背面側の部分を掴んで、先端側をフロントパネルの挿入口に差し込む操作をする。
【００３３】
現行テープカートリッジ１０は、先端側がフラップ１２５，１２６を押し開いて横板部５２の張り出し部５２ａに載ってこの上を滑って、Ｙ２側から、入口部１０１を通って現行テープカートリッジ収容空間１００内に挿入され、図１（Ｂ）、図８及び図９に示すように、横板部５２に支持され、両側を側板部５３、５４により規制され、上面１０ａをカートリッジ上面押え板部材６０によって押えられて、テープカートリッジホルダ装置５０内に保持される。
【００３４】
現行テープカートリッジ１０が入口部１０１を通るときに、現行テープカートリッジ１０の下面がカートリッジ検知ピン８４、８４ＡをＺ２方向に押し下げ、第１のロックレバー８２が反時計方向に回動され、フック部８３がロックピン６１から外れて、第１のロック機構８１は解除されるけれども、第２のロック機構９０はロック状態を維持し、カートリッジ上面押え板部材６０は初期位置に固定されている。よって、現行テープカートリッジ１０はテープカートリッジホルダ装置５０内に正常に挿入されて現行テープカートリッジ収容空間１００内に正常に収容されて保持される。
【００３５】
続いて、テープカートリッジ自動装着装置（図示せず）が動作し、テープカートリッジホルダ装置５０が所定の位置まで移動され、現行テープカートリッジ１０はテープカートリッジホルダ装置５０と共に所定の位置まで移動されてストリーマ装置３０に装着される。この過程で、図２に示す蓋開きレバー１２９によって、蓋１２が開かれる。
【００３６】
［新型テープカートリッジ２０の挿入］
操作者は、新型テープカートリッジ２０の背面側の部分を掴んで、先端側をフロントパネルの挿入口に差し込む操作をする。
【００３７】
新型テープカートリッジ２０は、先端側がフラップ１２５，１２６を押し開いて横板部５２の張り出し部５２ａ上を滑ってＹ１方向に移動する。このとき、新型テープカートリッジ２０の下面がカートリッジ検知ピン８４、８４ＡをＺ２方向に押し下げ、且つ、上面がカートリッジ検知ピン９３、９３ＡをＺ１方向に押し上げる。これによって、第１のロックレバー８２が反時計方向に回動され、且つ第２のロックレバー９１が時計方向に回動され、フック部８３及びフック部９２共にロックピン６１から外れて、第１のロック機構８１及び第２のロック機構９０が共に解除され、カートリッジ上面押え板部材６０はＹ１方向に移動可能となる。
【００３８】
新型テープカートリッジ２０の先端面と上面と角部がカートリッジ上面押え板部材６０のＹ２側端に当り、カートリッジ上面押え板部材６０は新型テープカートリッジ２０によってＹ１方向に押されて移動し、振り子のように回動をする第１、第２の吊り部材７１、７２に支持されつつ略Ｙ１とＺ１との間の方向にスイングして移動する。カートリッジ上面押え板部材６０が新型テープカートリッジ２０の上面よりも高くなると、新型テープカートリッジ２０はカートリッジ上面押え板部材６０の下面側にもぐり込み、新型テープカートリッジ収容空間１１０内に挿入され、図１（Ｃ）、図１０及び図１１に示すように、横板部５２に支持され、両側を側板部５３、５４により規制され、上面２０ａをカートリッジ上面押え板部材６０によって押えられて、テープカートリッジホルダ装置５０内に保持される。
【００３９】
続いて、テープカートリッジ自動装着装置（図示せず）が動作し、テープカートリッジホルダ装置５０が所定の位置まで移動され、新型テープカートリッジ２０はテープカートリッジホルダ装置５０と共に所定の位置まで移動されてストリーマ装置３０に装着される。この過程で、蓋開きレバー１２９によって、蓋２２が開かれる。
【００４０】
第１、第２の吊り部材７１、７２が振り子のように回動をするとき、腕部７１ａ、７１ｂは同期して回動し、且つ、腕部７２ａ、７２ｂは同期して回動する。よって、カートリッジ上面押え板部材６０は水平面を維持しつつ移動し、新型テープカートリッジ収容空間１１０は円滑に形成される。
【００４１】
［現行テープカートリッジ１０の不適当な挿入操作の防止］
フロントパネル１２０の挿入口１２１は新型テープカートリッジ２０に合わせてある。よって、現行テープカートリッジ１０の挿入高さ等はフロントパネル１２０の挿入口１２１では規制されず、挿入位置はばらつく。現行テープカートリッジ１０をフロントパネル１２０の挿入口１２１の上側寄りの高さに挿入した場合には、カートリッジ検知ピン９３，９３Ａが押されて、第２のロック機構９０が解除されるけれども、カートリッジ検知ピン８４、８４Ａは押されず、第１のロック機構８１は解除されず、現行テープカートリッジ１０を強く挿入しようとしても、カートリッジ上面押え板部材６０のＹ２方向の端にぶつかってそれ以上は挿入されない。よって、現行テープカートリッジ１０の不適当な挿入操作は防止される。
【００４２】
なお、挿入口１２１は通常はフラップ１２５，１２６によって閉じられている。
【実施例２】
【００４３】
図１２（Ａ）、（Ｂ）、（Ｃ）は本発明の実施例２のテープカートリッジホルダ装置５０Ａのスケルトン図である。図１２（Ｂ）、図１３、図１４は現行テープカートリッジ１０が挿入された状態を示し、図１２（Ｃ）、図１５、図１６は新型テープカートリッジ２０が挿入された状態を示す。
【００４４】
テープカートリッジホルダ装置５０Ａは、前記のテープカートリッジホルダ装置５０とは、カートリッジ上面押え板部材６０Ａと、カートリッジ上面押え板部材支持機構７０Ａとが相違する。
【００４５】
図１２（Ａ）、図１３、図１４に示すように、カートリッジ上面押え板部材支持機構７０Ａは、カートリッジ上面押え板部材６０ＡのＹ２側を、カートリッジ支持部材５１の両側の側板部５３、５４に回動可能に支持する構成である。１３０はカートリッジ上面押え板部材６０Ａの軸支部であり、挿入口１２１に近い位置にある。第１のロック機構８１及び第２のロック機構９０によって、カートリッジ上面押え板部材６０Ａは、Ｙ１側がＺ２方向に下がった斜めの姿勢にロックされている。
【００４６】
現行テープカートリッジ１０を挿入した場合には、第１のロック機構８１は解除されるけれども、第２のロック機構９０はロック状態を維持し、現行テープカートリッジ１０は、図１２（Ｂ）、図１３、図１４に示すように、斜め下向きのカートリッジ上面押え板部材６０Ａによって上面を押さえられて、テープカートリッジホルダ装置５０Ａ内に正常に挿入されて正常に保持される。
【００４７】
新型テープカートリッジ２０を挿入した場合には、第１のロック機構８１及び第２のロック機構９０が共に解除され、現行テープカートリッジ１０は、図１２（Ｃ）、図１５、図１６に示すように、カートリッジ上面押え板部材６０Ａを押して反時計方向に略水平の状態まで回動させ、テープカートリッジホルダ装置５０Ａ内に正常に挿入されて正常に保持される。
【実施例３】
【００４８】
図１７（Ａ）、（Ｂ）、（Ｃ）は本発明の実施例３のテープカートリッジホルダ装置５０Ｂのスケルトン図である。図１７（Ｂ）、図１８、図１９は現行テープカートリッジ１０が挿入された状態を示し、図１７（Ｃ）、図２０、図２１は新型テープカートリッジ２０が挿入された状態を示す。
【００４９】
テープカートリッジホルダ装置５０Ｂは、前記のテープカートリッジホルダ装置５０とは、カートリッジ上面押え板部材６０Ｂと、カートリッジ上面押え板部材支持機構７０Ｂとが相違する。
【００５０】
図１７（Ａ）、図１８、図１９に示すように、カートリッジ上面押え板部材支持機構７０Ｂは、カートリッジ支持部材５１の両側の側板部５３、５４の夫々に、Ｙ１方向に変位するにつれてＺ１方向に変位する斜めであって平行に形成である二つのガイド溝１４０，１４１、１５０，１５１よりなる。カートリッジ上面押え板部材６０Ａは、両端のロッド１６０，１６１の端がガイド溝１４０，１４１、１５０，１５１に嵌合してあり、ロッド１６０，１６１の端をガイド溝１４０，１４１、１５０，１５１に案内されつつ移動する。
【００５１】
現行テープカートリッジ１０を挿入した場合には、第１のロック機構８１は解除されるけれども、第２のロック機構９０はロック状態を維持し、現行テープカートリッジ１０は、図１７（Ｂ）、図１８、図１９に示すように、初期の位置に位置するカートリッジ上面押え板部材６０Ｂによって上面を押さえられて、テープカートリッジホルダ装置５０Ｂ内に正常に挿入されて正常に保持される。
【００５２】
新型テープカートリッジ２０を挿入した場合には、第１のロック機構８１及び第２のロック機構９０が共に解除され、現行テープカートリッジ１０は、図１７（Ｃ）、図２０、図２１に示すように、カートリッジ上面押え板部材６０Ｂを押してガイド溝１４０，１４１、１５０，１５１に沿って斜め上方向に移動させて、テープカートリッジホルダ装置５０Ｂ内に正常に挿入されて正常に保持される。
【図面の簡単な説明】
【００５３】
【図１】本発明の実施例１になるテープカートリッジホルダ装置のスケルトン図であり、（Ａ）は初期状態、（Ｂ）は現行テープカートリッジが挿入された状態、（Ｃ）は新型テープカートリッジが挿入された状態を示す。
【図２】本発明の実施例１になるテープカートリッジホルダ装置の斜視図である。
【図３】第１のロックレバー及び第２のロックレバーを分解して示す図である。
【図４】テープカートリッジホルダ装置の正面図である。
【図５】テープカートリッジホルダ装置の側面図である。
【図６】テープカートリッジホルダ装置の平面図である。
【図７】テープカートリッジ収容空間が拡大された状態のテープカートリッジホルダ装置の正面図である。
【図８】現行テープカートリッジが挿入されて保持された状態を示す斜視図である。
【図９】この状態の側面図である。
【図１０】新型テープカートリッジが挿入されて保持された状態を示す斜視図である。
【図１１】この状態の側面図である。
【図１２】本発明の実施例２になるテープカートリッジホルダ装置のスケルトン図であり、（Ａ）は初期状態、（Ｂ）は現行テープカートリッジが挿入された状態、（Ｃ）は新型テープカートリッジが挿入された状態を示す。
【図１３】現行テープカートリッジが挿入されて保持された状態を示す斜視図である。
【図１４】この状態の側面図である。
【図１５】新型テープカートリッジが挿入されて保持された状態を示す斜視図である。
【図１６】この状態の側面図である。
【図１７】本発明の実施例２になるテープカートリッジホルダ装置のスケルトン図であり、（Ａ）は初期状態、（Ｂ）は現行テープカートリッジが挿入された状態、（Ｃ）は新型テープカートリッジが挿入された状態を示す。
【図１８】現行テープカートリッジが挿入されて保持された状態を示す斜視図である。
【図１９】この状態の側面図である。
【図２０】新型テープカートリッジが挿入されて保持された状態を示す斜視図である。
【図２１】この状態の側面図である。
【図２２】図２のテープカートリッジホルダが適用されるストリーマ装置及び現行テープカートリッジ及び新型テープカートリッジを示す図である。
【符号の説明】
【００５４】
１０  現行テープカートリッジ
１４  ４ｍｍ幅磁気テープ
２０  新型テープカートリッジ
２４  ８ｍｍ幅磁気テープ
３０  ストリーマ装置
３１  回転ドラム装置
３２，３３  リール軸
３４  磁気テープローディング機構
５０，５０Ａ，５０Ｂ  テープカートリッジホルダ装置
５１  カートリッジ支持部材
５２  横板部
５３，５４  側板部
６０，６０Ａ，６０Ｂ  カートリッジ上面押え板部材
６１  ロックピン
７０，７０Ａ，７０Ｂ  カートリッジ上面押え板部材支持機構
７１  第１の吊り部材
７２  第２の吊り部材
８０  二重ロック機構
８１、８１Ａ  第１のロック機構
８２  第１ロック部材
８３  フック部
８４  カートリッジ検知ピン
９０、９０Ａ  第２のロック機構
９１  第２ロック部材
９２  フック部
９３  カートリッジ検知ピン
１００  現行テープカートリッジ収容空間
１０１，１１１  入口部
１０２〜１０５  コーナ部
１１０  新型テープカートリッジ収容空間
１２０  フロントパネル
１２０ａ  挿入口
１３０  軸支部
１４０，１４１、１５０，１５１  ガイド溝
１６０，１６１  ロッド
【図１】
2006351100.tif 000003
【図２】
2006351100.tif 000004
【図３】
2006351100.tif 000005
【図４】
2006351100.tif 000006
【図５】
2006351100.tif 000007
【図６】
2006351100.tif 000008
【図７】
2006351100.tif 000009
【図８】
2006351100.tif 000010
【図９】
2006351100.tif 000011
【図１０】
2006351100.tif 000012
【図１１】
2006351100.tif 000013
【図１２】
2006351100.tif 000014
【図１３】
2006351100.tif 000015
【図１４】
2006351100.tif 000016
【図１５】
2006351100.tif 000017
【図１６】
2006351100.tif 000018
【図１７】
2006351100.tif 000019
【図１８】
2006351100.tif 000020
【図１９】
2006351100.tif 000021
【図２０】
2006351100.tif 000022
【図２１】
2006351100.tif 000023
【図２２】
2006351100.tif 000024